(57)【特許請求の範囲】
【請求項１】
二次局から一次局への送信のためのリソースを割り当てるための方法であって、前記一次局は、前記一次局にデータを送信するために前記二次局が使用するための送信リソースの第１指示を前記二次局に送信し、前記送信リソースの前記指示は、送信リソースのセットから選択される少なくとも１つの送信リソースを示し、第２指示をさらに有し、前記第２指示は、前記二次局が前記選択された送信リソースの少なくとも一部を用いてダウンリンクチャネル品質のレポートを送信すること、及び、前記第１指示からの前記選択された送信リソースの時間オフセットが、チャネル品質レポートを前記第２指示が要求するかどうかによって決まることを要求することができ、
前記第２指示がチャネル品質レポートを要求する場合の前記時間オフセットが、前記第２指示がチャネル品質レポートを要求しない場合よりも大きい、方法。
【請求項２】
前記第２指示がチャネル品質レポートを要求する場合、前記時間オフセットは、前記二次局がチャネル品質の測定を行うために十分であり、前記第２指示がチャネル品質レポートを要求しない場合、前記時間オフセットは、前記二次局がチャネル品質の測定を行うために十分でない、請求項１に記載の方法。
【請求項３】
少なくとも１つの時間オフセットが予め定められている、請求項１に記載の方法。
【請求項４】
前記第１指示が、適用されるべき時間オフセットの第３指示をさらに含む、請求項１に記載の方法。
【請求項５】
二次局からの送信のためのリソースを割り当てるための手段を有する一次局であって、前記一次局にデータを送信するために前記二次局が使用するための送信リソースの第１指示を前記二次局に送信するための送信手段を有し、前記送信リソースの前記指示は、送信リソースのセットから選択される少なくとも１つの送信リソースを示し、第２指示をさらに有し、前記第２指示は、前記二次局が前記選択された送信リソースの少なくとも一部を用いてダウンリンクチャネル品質のレポートを送信すること、及び、前記第１指示からの前記選択された送信リソースの時間オフセットが、チャネル品質レポートを前記第２指示が要求するかどうかによって決まることを要求することができ、
前記第２指示がチャネル品質レポートを要求する場合の前記時間オフセットが、前記第２指示がチャネル品質レポートを要求しない場合よりも大きい、一次局。
【請求項６】
一次局への送信のために割り当てられたリソースにおいてリソースを送信するための手段を有する二次局であって、当該二次局は、前記一次局にデータを送信するために用いる送信リソースの第１指示を前記一次局から受信するための受信手段を有し、前記送信リソースの前記指示は、送信リソースのセットから選択される少なくとも１つの送信リソースを示し、第２指示をさらに有し、前記第２指示は、前記二次局が前記選択された送信リソースの少なくとも一部を用いてダウンリンクチャネル品質のレポートを送信すること、及び、前記第１指示からの前記選択された送信リソースの時間オフセットが、チャネル品質レポートを前記第２指示が要求するかどうかによって決まることを要求することができ、
前記第２指示がチャネル品質レポートを要求する場合の前記時間オフセットが、前記第２指示がチャネル品質レポートを要求しない場合よりも大きい、二次局。
【発明の詳細な説明】
【技術分野】
【０００１】
本発明は、通信システムにおいて送信リソースを割り当てるための方法、この方法を用いた通信システム、同方法を用いる一次局及び二次局に関する。より具体的には、本発明は、例えば、UMTS(Universal Mobile Telecommunications System)のような移動通信システムに関する。
【背景技術】
【０００２】
UMTS規格において定義されるように、全ての無線関連機能を扱うことに責任があり、複数の基地局(NodeB又は一次局とも呼ばれる)を有するUMTS地上無線アクセスネットワーク(すなわちUTRAN)は、ユーザ端末(ユーザ装置、二次局又は移動局とも呼ばれる)にリンクされる。
最先端のUTRA(Evolved Universal Terrestrial NetworkすなわちEUTRA、LTE(Long Term Evolution)としても知られる)の構造は3GPP TS36.300に記録され、この規格はhttp://www.3gpp.orgから入手可能であり、本明細書に参照として組み込まれる。
【０００３】
アップリンクチャネル(すなわち二次局から基地局)に関して、二次局は、信号の衝突を回避するために、それぞれの送信リソース上でのみ、データを送信している。これらの送信リソースは主に、周波数、変調符号化スキーム(MCS)及び送信時間間隔によって定義され、その送信時間間隔の間に、それらのパラメータを用いることによって送信することが許可される。
【０００４】
これは、例えば二次局の割り当て要求に応じて、ダウンリンク制御チャネル上で、すなわちLayer 1/Layer 2ダウンリンク制御チャネル(L1/L2制御チャネル)上で、アップリンク物理リソースの割り当てのための指示信号を送信することによって、動的に実行されることができる。送信時間間隔TTIは、一次局から二次局へのこの指示の送信の時間によって示される。割り当てられたTTIは、指示信号の送信から始まる一定の期間後に開始する。この場合には、送信のタイミングは、L1/L2ダウンリンク制御情報の受信及び復号から一定の時間間隔オフセットである。
【０００５】
UMTS LTEにおいて現在規定されているように、アップリンクリソースを割り当てるメッセージは、ユーザ機器がダウンリンクチャネルの品質についてのレポート(CQI：Channel Quality Indicator)を送信することを要求する指示も含む。
【発明の概要】
【発明が解決しようとする課題】
【０００６】
本発明の目的は、リソースを割り当てるメッセージとアップリンク送信との間の時間遅延を最小化するような態様で、データ送信のためのアップリンクリソースを割り当てて、チャネル品質情報をレポートする方法を提案することである。
【課題を解決するための手段】
【０００７】
この目的のために、本発明によれば、二次局から一次局への送信のためのリソースを割り当てるための方法が提案され、一次局は、一次局にデータを送信するために二次局が使用するための送信リソースの第１指示を二次局に送信し、前記送信リソースの前記指示は、送信リソースのセットから選択される少なくとも１つの送信リソースを示し、さらに第２指示を有し、前記第２指示は、二次局が前記選択された送信リソースの少なくとも一部を用いてダウンリンクチャネル品質のレポートを送信すること、及び、第１指示からの時間オフセットが、チャネル品質レポートを第２指示が要求するかどうかによって決まることを要求することができる。
【０００８】
その結果として、一次局は、二次局がアップリンクリソースを付与されるようにTTIを割り当てることができ、ここで、一次局がチャネル品質レポートを要求する場合の第１指示と選択されたリソースとの間の時間オフセットが、一次局がチャネル品質レポートを要求しない場合よりも大きい。これは、一次局がチャネル品質レポートを要求する場合に、二次局が、第１指示と選択されたリソースとの間に必要なチャネル品質測定を行うための十分な時間を持ち、選択されたリソースを用いたアップリンク送信中にチャネル品質レポートが含まれることができることを意味する。
【０００９】
本発明はさらに、本発明による方法を実行するための手段を有する一次局に関する。
【００１０】
本発明の別の態様では、本発明の第１の態様による方法を実行するための手段を有する二次局が提案される。
【００１１】
本発明のこれらの及び他の態様は、以下に記載される実施の形態から明らかであり、それらを参照して説明される。
【００１２】
本発明は、以下において、添付の図面を参照して、一例として、より詳細に説明される。
【図面の簡単な説明】
【００１３】
【図１】本発明による一次局及び二次局を有するシステムのブロック図。
【図２】従来の方法に従って送信される信号を示すタイムチャート。
【発明を実施するための形態】
【００１４】
本発明は、図1に描かれるように、基地局のような一次局100及び少なくとも１つの移動局のような二次局を含む通信システム300に関する。
【００１５】
無線システム300は、複数の一次局100及び/又は複数の二次局200(ユーザ機器(UE)とも示される)を含むことができる。一次局100は、送信手段110及び受信手段120を含む。送信手段110の出力及び受信手段120の入力は、例えばサーキュレータ又は切換えスイッチであることができる結合手段140によってアンテナ130に結合される。例えばプロセッサであることができる制御手段150は、送信手段110及び受信手段120に結合される。二次局200は、送信手段210及び受信手段220を含む。送信手段210の出力及び受信手段220の入力は、例えばサーキュレータ又は切換えスイッチであることができる結合手段240によってアンテナ230に結合される。例えばプロセッサであることができる制御手段250は、送信手段210及び受信手段220に結合される。一次無線局100から二次局200への送信は第１チャネル160上で行われ、そして二次無線局200から第１無線局100への送信は第２チャネル260上で行われる。
【００１６】
アップリンクにおいて、UEは、それ自身のCell Radio Network Temporary Identity(セル内の全ての二次局を識別するためのアドレス。C-RNTIと示される)が存在するかを復号して検出するために、L1/L2制御情報をモニタリングしなければならない。これは、ネットワークが、アップリンクULリソースを割り当てるときに、一般的に、L1/L2ダウンリンク制御チャネル上でリソース割り当てRAを送信するので、必要とされる。(存在するならば)時間及び周波数リソースのデフォルトの割り当ては、L1/L2制御チャネルにおいて通知される新たな割り当てによって覆されることができ、あるいは、L1/L2制御チャネルは、UEからの要求に応じてアップリンクリソースをスケジューリングするために用いられることができる。
【００１７】
リソース割り当ては、一般的に、UEがアップリンク送信のために用いるべき周波数リソース及び変調符号化スキームMCSの指示を含む。送信のタイミングは、L1/L2ダウンリンク制御情報の受信及び復号からの一定の時間間隔オフセットである。
【００１８】
図2に示されるように、二次局200は、"要求"とラベル付けされたパケット中のデータによってアップリンクリソースの要求を通知する。この要求は、一次局によって受信され、一次局は、いつ二次局200にL1/L2制御信号を返信するべきかについて決定する。この信号のタイミングはネットワークによって決定され、二次局は、二次局が制御信号を受信して復号した時点から一定のオフセットによって定められる特定の時間スロットを用いる。このオフセットは、事前に決められたオフセットであることができ、又は、例えば無線リソース制御(Radio Resource Control：RRC)信号によって二次局に通知されることができる。
【００１９】
本発明によれば、リソース割り当てメッセージは、ダウンリンクチャネル品質の測定から導出されるチャネル品質インジケータCQIを含むレポートを送信することをUEに要求する指示も含む。CQIレポートが要求される場合、時間オフセットは、リソース割り当てメッセージの受信とアップリンクリソースを用いた送信との間のインターバルにおいてUEがチャネル品質を測定するために十分に長い。これは、リソース割り当てメッセージを受信した結果として直ちに行われるアップリンク送信にCQIレポートが含まれることを可能にする。CQIレポートが要求されない場合、時間オフセットはより短い。これは、リソース割り当てメッセージとアップリンク送信との間の遅延を最小化する。これは、平均待ち時間の低減及びスループットの改善において有益である。この後者の利点は、一次局がチャネル状態に適合させるようにリソース及び送信フォーマットを選択する場合に生じ、潜在的に不整合をもたらすチャネル状況の任意の変化は、より短い時間オフセットではより小さくなるだろう。
【００２０】
タイミングオフセット値の異なるセットが、より上位のレイヤの信号によって異なるUEに設定されることができる。
【００２１】
L1/L2制御信号と対応するULリソースとの間の一定の時間オフセットは、ネットワークが、UEにアップリンクリソースをいつ使用させることができるかについての十分な柔軟性を持たないことを意味する。この柔軟性は、ネットワークがL1/L2制御情報と共にタイミングオフセットのいくつかの指示を送信することを可能にすることによって取り戻されることができる。
【００２２】
本明細書及び請求の範囲において、単数で表現される要素は、そのような要素が複数存在することを除外しない。さらに、「有する」「含む」などの用語は、挙げられた要素又はステップ以外の他の要素又はステップの存在を除外しない。
【００２３】
本開示を読むことにより、他の変更例が当業者にとって明らかとなるだろう。そのような変更例は、無線通信の技術及び送信機電力制御の技術において既に知られている特徴であって、本明細書において既に記載された特徴の代わりに又はそれらに加えて用いられることができる他の特徴を含むことができる。
【図１】
0005497745.tif 000002
【図２】
0005497745.tif 000003